(57)【特許請求の範囲】
【請求項１】
収納部に対して開閉可能な扉体を具備する機構であって、
前記収納部は、少なくともその上部又は下部に装着された長方形状の本体片と、該本体片に対してその長手方向にのみスライド可能に装着されたスライド片とを有し、
前記本体片は、前記扉体の上面又は下面の両側において突出形成された軸が扉体側から挿入可能な穴部を有し、
前記スライド片は、前記軸が本体片の穴部に挿入された際にその脱出が規制されるよう前記扉体側の両端位置に形成された係止部を有し、
前記本体片と前記スライド片とをスライド移動可能に連結し前記軸の前記穴部への挿入・脱出により本体片に対してスライド片がスライド動作するためのスライド付勢手段を両側に設け、
前記本体片の中央に嵌合孔を形成し、前記嵌合孔に対応するスライド片の中央に二つの円形孔を重ねた形状のひょうたん形孔を形成し、前記ひょうたん形孔を嵌挿し前記嵌合孔に先端が嵌合する係止ピンを装着し、前記係止ピンを常時下方に付勢し前記スライド片のスライド動作で係止ピンの頭部に形成された大径部が前記ひょうたん形孔に埋没可能とする付勢手段を設ける一方、扉体の上面中央に前記係止ピンの下端に当接可能に配置して押し上げ動作を可能とする傾斜片を設けた
ことを特徴とする両側開閉扉機構。
【請求項２】
前記付勢手段は、スライド片に装着された板バネにより係止ピンの頭部を下方に付勢して成る請求項１に記載の両側開閉扉機構。
【発明の詳細な説明】
【技術分野】
【０００１】
本発明は、収納ボックスの扉部分に採用される開閉扉機構に関し、例えば、洗面台三面鏡の両側鏡の裏側に形成される収納部に対して、前記側鏡が表側に装着された扉の開閉機構について適用され、前記扉が両側方向に開閉可能となるように構成された両側開閉扉機構に関する。
【背景技術】
【０００２】
洗面所に設置されるユニット状の洗面台は、例えば図７に示すように、本体１００の前面に正面鏡１０１を設置するとともに、その両側位置に縦長の側鏡１０２，１０２をそれぞれ配置し、側鏡１０２が内側を基辺として開閉動作することにより、正面鏡１０１及び側鏡１０２で略コ字状となる三面鏡として使用することが可能に構成されている。
【０００３】
上記構造の場合、開閉可能な各扉体１０３の表面に各側鏡１０２を装着し、向かって右側の扉体１０３の場合、その左側辺に蝶番１０４が使用され、左側の扉体の場合、その右側辺に蝶番１０４が使用されて各扉体１０３が開閉し、各扉体１０３の裏側に洗面道具等が収納可能な収納部１１０が設けられるようになっている。
【発明の開示】
【発明が解決しようとする課題】
【０００４】
しかしながら上記構造によると、扉体１０３の開閉により収納部１１０内の物を取り出す場合、扉体１０３の開閉方向によっては物を取り出し難いという問題点があった。例えば、左側の収納部１１０から物を取り出す場合には、扉体１０３の左側が開口するので左方向から行う必要があるが、右利きの人には使い勝手が悪い構造となっている。また、上述した三面鏡洗面台に限らず、収納部１１０の使用の仕方によっては、これを塞ぐ扉体１０３について、両側から開閉できる機構が望まれていた。
【０００５】
両側から開閉できる機構としては、例えば特許文献１に示すように、軸受装置に設けた軸受溝みぞ及び可動支持器に設けた可動用みぞに軸が嵌合し、軸受装置に対して可動支持器が軸を中心に（支点として）回動する機構が提案されているが、軸の固定を確実に行うことができず、支持が解除される現象が生じるという問題点があった。
【特許文献１】特開昭６１−２２９０８２号公報
【０００６】
本発明は、上記実情に鑑みてなされたもので、簡単な構造で左右の両側から開閉が可能な扉体を有する両側扉開閉機構において、開閉の支点側における軸の固定が確実にできるような構造を提供することを目的としている。
【課題を解決するための手段】
【０００７】
上記目的を達成するため請求項１に記載の発明は、収納部に対して開閉可能な扉体を具備する両側開閉扉機構であって、次の構成を含むことを特徴としている。
前記収納部は、少なくともその上部又は下部に装着された長方形状の本体片と、該本体片に対してその長手方向にのみスライド可能に装着されたスライド片とを有している。
前記本体片は、前記扉体の上面又は下面の両側において突出形成された軸が扉体側から挿入可能な穴部を有している。
前記スライド片は、前記軸が本体片の穴部に挿入された際にその脱出が規制されるよう前記扉体側の両端位置に形成された係止部を有している。前記本体片と前記スライド片とをスライド移動可能に連結し、前記軸の前記穴部への挿入・脱出により本体片に対してスライド片がスライド動作するスライド付勢手段を両側に設けている。
【０００８】
前記スライド付勢手段は、本体片に対して回動可能に一端側がピンを介して装着された第１動作片と、スライド片に対して回動可能に一端側がピンを介して装着された第２動作片とを具備し、前記第１動作片と第２動作片との他端側同士をピンでＶ字状に連結し、該ピンに巻回部が挿入された線状バネの両端部を本体片側及びスライド片側の前記ピンにそれぞれ内側から支持して構成されている。
【０００９】
更に、本体片の中央に嵌合孔を形成し、前記嵌合孔に対応するスライド片の中央に二つの円形孔を重ねた形状のひょうたん形孔を形成し、前記ひょうたん形孔を嵌挿し前記嵌合孔に先端が嵌合する係止ピンを装着し、前記係止ピンを常時下方に付勢し前記スライド片のスライド動作で係止ピンの頭部に形成された大径部が前記ひょうたん形孔に埋没可能とする付勢手段を設ける。そして、扉体の上面中央に前記係止ピンの下端に当接可能に配置して押し上げ動作を可能とする傾斜片を設けたことを特徴としている。
【００１０】
請求項２は、請求項１に記載の両側開閉扉機構において、前記付勢手段は、スライド片に装着された板バネにより係止ピンの頭部を下方に付勢して成ることを特徴としている。
【００１１】
本発明によれば、収納部側に長方形状の本体片及びスライド片を装着し、扉体側に軸を突出形成することにより、収納部を扉体が塞ぐ場合においては、扉体側の両方の軸が本体片の穴部に嵌合し、スライド片がスライド移動中心に位置するとともに、スライド片の両端位置に形成された係止部により前記軸の扉体側への移動が規制される。この状態の時、本体片とスライド片とは、スライド片の中央に形成された長穴に本体片に形成されたピンが挿入されることでスライド移動可能に連結され、Ｖ字状に連結された第１動作片及び第２動作片を具備する各スライド付勢手段を両側に位置させている。
【００１２】
この状態から扉体のどちらか一方の側の軸が穴部から脱出するように移動させると、軸部分による係止部への押圧によりスライド片が他方の穴部方向に移動し、他方側の連結部のＶ字状を狭めて支持を確実にするとともに、一方側の連結部のＶ字状が開き穴部から軸を脱出させ、扉体を開状態にさせることができる。
【００１３】
この機構は左右対称に形成されているので、扉体の他方側についても同様の動作を行わせることができる。
【００１４】
また、扉体が開状態から閉状態にするには、軸部分によりＶ字状の連結部を押圧し、連結部のＶ字を狭める方向に移動させることによりスライド片を当該軸が嵌る穴部方向に移動させ、これにより他方側の連結部のＶ字状が広がって、スライド片を中立位置に位置させる。
【００１５】
スライド片が本体片１０に対して左右どちらかの方向にスライドした場合、スライド片２０のひょうたん形孔２７に大径部２８ａが嵌合し、板バネ６０の付勢力により係止ピン２８がひょうたん形孔２７に埋没する嵌合状態（埋没嵌合状態）となるので、スライド片２０に対して係止ピン２８が固定され、本体片１０に対してスライド片２０が固定される状態となる。
【発明の効果】
【００１６】
本発明によれば、本体片の中央に形成した嵌合孔、スライド片に形成したひょうたん形孔、係止ピン、係止ピンを常時下方に付勢する付勢手段の存在により、スライド片が本体片に対して左右どちらかの方向にスライドした場合、スライド片のひょうたん形孔に大径部が嵌合し、付勢手段により係止ピンがひょうたん形孔に埋没する嵌合状態（埋没嵌合状態）となるので、スライド片に対して係止ピンが固定され、本体片に対してスライド片が固定される状態となることにより、開閉の支点側における軸の固定を確実に行うことができる。
【発明を実施するための最良の形態】
【００１７】
以下、本発明の両側開閉扉機構の実施の形態の一例について、図１ないし図６を参照しながら説明する。この両側開閉扉機構は、図７に示すようなユニット状洗面台の三面鏡において、側鏡１０２が装着されるパネル（扉体）１０３の開閉機構に採用することにより、パネル裏面に形成された収納部１１０に対して、左右両側から扉体１０３が開閉可能とするように構成されている。
【００１８】
すなわち本発明の両側開閉扉機構は、収納部１１０側の上部及び下部に装着される本体片１０及びスライド片２０と、扉体１０３側の上面及び下面に装着される回動片３０とを具備して構成されている（なお、図１では扉体１０３の上部側のみを示している）。
【００１９】
回動片３０は長尺状の板片で構成され、その左右部分において軸３１が立設されている。また、一方の側面には、その中央及び左右に位置するように回動片３０に延設された片を折曲して形成される固定片３２が連設され、この固定片３２に設けた孔部３３に挿入されるネジ（図示せず）により扉体１０３の裏面にネジ止めすることで、扉体１０３の上面に回動片３０が固定されている。また、扉体１０３の正面側には、三面鏡の側鏡１０２が装着されている。
【００２０】
中央の固定片３２には、回動片３０の長手方向の上面部分を切断するように切り込み部３５が形成され、切込中央位置に固定片３２に連設された傾斜片３６が設けられている。この傾斜片３６は、図２に示すように、扉体１０３の鏡装着面と反対側の面の中央に設けた斜面欠落部に対応して位置し、裏面側（鏡装着面と反対側）に傾斜面が形成されるように装着されている。この傾斜片３６の傾斜面の作用については後述する。
【００２１】
各本体片１０は、略長方形状の板片で構成され、扉体１０３に対する収納部の上面側及び底面側に設けた段部に装着されている。本体片１０の収納部への装着は、例えば、本体片１０の一部を折曲して本体片に対して直交するように配置する支持片１１，１１を設け、各支持片１１に穿孔された孔１１ａを介して収納部の段部正面にネジ（図示せず）で固定している。
【００２２】
本体片１０には、左右部分において、前記した回動片３０の軸３１が扉体側から水平方向に移動して挿入可能な穴部１２が形成されている。各穴部１２は、互いに平行となるように形成され、回動片３０の各軸３１が穴部１２に挿入された状態において、本体片１０に対して回動片３０が平行に位置するようになっている。
【００２３】
本体片１０の上面には、本体片１０に対してその長手方向にのみスライド可能なスライド片２０が装着されている。スライド片２０は、本体片１０の穴部１２近傍位置間に相当する幅を有している。また、スライド片２０の両端位置の扉体側には、穴部１２に軸３１が挿入しスライド片２０が固定片１０の中央に位置されている場合において、穴部１２の半分を塞ぐような凸形状の係止部２１が連設されている。
【００２４】
すなわち、スライド片２０が本体片１０の中央に位置されている場合に、各穴部１２における開放隙間ｄ（図５（ａ）参照）は、両側を合わせて軸３１の直径分しかないため、軸３１が同時に穴部１２から抜けることがない。したがって、これら係止部２１の存在により、軸３１が本体片１０の穴部１２に挿入された際にその脱出が規制されるようになる。
【００２５】
スライド片２０の各係止部２１は、扉体側及び奥側ともに軸３１に当接した際にスライド移動しやすいように、アールを付けた形状で形成されている。
【００２６】
スライド片２０には、中央及び左右の３箇所部分において、スライド方向に沿った長穴２２が形成されている。この長穴２２には、本体片１０側に長穴２２に対応して突出固定されたピン１３が挿入され、ピン１３上部先端をかしめることで本体片１０に対してスライド片２０が離脱することを防いで、長手方向（左右方向）にのみスライド片２０が移動可能なように構成されている。
【００２７】
本体片１０とスライド片２０とは、その両側位置において、一対の動作片４１，４１と線状バネ５１を具備して構成されたスライド付勢手段４０を位置させて連結されている。各動作片４１は短いリンク片で構成され、両端側に孔部４２を有するとともに、リンク片の一方の側面端部に折曲片４３が形成されている。
【００２８】
すなわち、一対の動作片４１，４１の端部同士を重ね、各孔部４２を貫通するピン４４の先端部をかしめることで互いに回動可能に連結する。連結された一方の動作片４１は、本体片１０の孔部１４及び動作片４１の孔部４２を貫通するピン１５の先端部をかしめることで本体片１０に対して回動可能に連結し、他方の動作片４１については、スライド片２０の孔部２３及び動作片４１の孔部４２を貫通するピン２４の先端部をかしめることでスライド片２０に対して回動可能に連結することにより、本体片１０とスライド片２０との間でＶ字状に連結されたリンク機構から成る連結手段４０が構成される。
【００２９】
また、動作片４１同士を連結するピン４４に巻回部５２が挿入された線状バネ５１の両端部が、本体片１０側及びスライド片２０側のピン１５，２４にそれぞれ内側から当接して支持するように配置されている。線状バネ５１は、例えば、針金の中央に巻回部５２を形成し、この巻回部５２から足部が延長されて構成される。
【００３０】
また、本体片１０の中央には鏡側に突出される方形部１８が形成され、この方形部１８の中央に嵌合孔１９が形成されている。スライド片２０の中央には、嵌合孔１９より大径の円形孔を二つ重ねた形状のひょうたん形孔２７が形成されている。本体片１０の嵌合孔１９には、スライド片２０のひょうたん形孔２７の外側に形成された孔２９，２９に架設されたＭ字形の板バネ６０（付勢手段）により、ひょうたん形孔２７に嵌挿されて常時下方に付勢される係止ピン２８の下端部が嵌合されている。係止ピン２８の上端側にはひょうたん形孔に嵌合可能な大径部２８ａが形成されている。
【００３１】
本体片１０の中央にスライド片２０が位置している場合には、図３に示すように、係止ピン２８の大径部２８ａがスライド片２０上に位置し、スライド片２０が本体片１０上をスライド移動可能な状態となっている。スライド片が本体片１０に対して左右どちらかの方向にスライドした場合、図４に示すように、スライド片２０のひょうたん形孔２７に大径部２８ａが嵌合し、板バネ６０の付勢力により係止ピン２８がひょうたん形孔２７に埋没する嵌合状態（埋没嵌合状態）となるので、スライド片２０に対して係止ピン２８が固定され、本体片１０に対してスライド片２０が固定される状態となる。
【００３２】
そして、係止ピン２８が上記した埋没嵌合状態となっている場合には、その下端部２８ｂに扉体１０３側に装着した回動片３０の傾斜片３６が当接するように構成されている。すなわち、扉体１０３を閉じるに際して回動片３０を本体片１０に近づけた場合、傾斜片３６の傾斜部と係止ピン２８の下端部２８ｂとが当接し、傾斜部の傾斜に沿って係止ピン２８を押し上げ、大径部２８ａのひょうたん形孔２７からの埋没解除動作が行われるようになっている。
【００３３】
上記構造の両側扉開閉機構の動作について、図５（ａ）ないし（ｃ）及び図６を参照しながら説明する。図５（ａ）は、収納部を扉体１０３で塞いだ状態（閉状態）を示している。この状態では、本体片１０の穴部１２奥に回動片３０の軸３１が挿入され、動作片４１同士の連結部を軸３１が押すことで、各連結手段４０が逆向きのＶ字状となり、固定片１０に対してスライド片２０が中央位置に配置されている。この時、スライド片２０の係止部２１は、穴部１２の半分を塞ぐように配置され、扉体１０３の軸３１が本体片１０の穴部１２からの脱出が規制されている。
【００３４】
次に、扉体１０３の左側が開となるように、扉体１０３の左側を収納部から離れる方向に移動させると、軸３１が穴部１２から脱出する際に、係止部２１のアール部分に当接してこれを押すと、スライド片２０が他方の穴部１２側に本体片１０上でスライド移動し、軸３１を移動させた側における動作片４１同士のＶ字状の連結角度が広がるとともに、反対側（図５における右側）の動作片４１同士のＶ字状の連結角度が狭まる（図５（ｂ））。
【００３５】
更に、扉体１０３を移動させると、動作片４１同士が直線状となり、スライド片２０の他方側の係止部２１が穴部１２を完全に塞いで、他方側の軸３１（右側の軸３１）を中心として回動片３０が回転するようにして扉体１０３の左側が開くようになる（図５（ｃ））。この時、一対の動作片４１に折曲部４３が形成されているので動作片４１が折曲片に４３当たり直線状態から若干反Ｖ字状となることで、これ以上の反Ｖ字状に曲がることを防いでいる（反Ｖ字状がＶ字状になることを防止している）。
【００３６】
なお、線バネ５１は、動作片４１を直線状態から若干の反Ｖ字状にするためのものである。
【００３７】
また、スライド片２０が本体片１０に対して右方向にスライドしているので、図４に示すように、スライド片２０のひょうたん形孔２７に係止ピン２８の大径部２８ａが嵌合し、板バネ６０の付勢力により係止ピン２８がひょうたん形孔２７に埋没する嵌合状態となる。この時、スライド片２０に対して係止ピン２８が固定され、本体片１０に対してスライド片２０が固定される状態となるので、穴部１２内に配置された軸３１を係止部２１が完全に押さえ込むことができ、扉体１０３の本体片１０からの離脱を完全に防止することができる。
【００３８】
扉体１０３の左側が開いた状態（図５（ｃ））から扉体１０３を閉じる動作を行うと、扉体１０３の回動片３０が本体片１０に近づくに際して、傾斜片３６の傾斜部と係止ピン２８の下端部２８ｂとが当接し、傾斜部の傾斜に沿って係止ピン２８を押し上げ、大径部２８ａのひょうたん形孔２７からの埋没解除動作が行われ、スライド片２０がスライド可能な状態となる。
【００３９】
その結果、軸３１が穴部１２に挿入され、軸３１が直線状の動作片４１対（左側）を押し連結部分を反Ｖ字状にすると（図５（ｂ））、スライド片２０が移動し穴部１２の奥に軸３１が達したときにスライド片２０は本体片１０の中立位置に配置される（図５（ａ））。
【００４０】
上記機構は左右対称に構成されているため、扉体１０３の右側が開となるように右側の軸３１が収納部から離れる方向に移動させると、上記と左右逆の動作を行い、扉体１０３の右側を開状態とすることができる。
【００４１】
上記構造によれば、収納部に対して扉体１０３が左右両側に開閉可能としたので、使用者の好みで開閉方向を選択でき、使い勝手のよい構造とすることができる。
【００４２】
上述した両側扉開閉機構によれば、収納部を扉体で塞ぐ構造において、収納部側に装着されたの本体片及びスライド片と、扉体側に突出形成された軸とにより、収納部を扉体が塞ぐ場合においては、扉体側の両方の軸が本体片の穴部に嵌合し、スライド片がスライド移動中心に位置するとともに、この状態から扉体のどちらか一方の側の軸が穴部から脱出するように移動させると、軸部分による係止部への押圧によりスライド片が他方の穴部方向に移動し、一方側の連結部のＶ字状が開き穴部から軸を脱出させ、扉体を開状態にさせることができるので、収納部に対して扉体が左右両側に開閉可能とする構造を得ることができる。
【図面の簡単な説明】
【００４３】
【図１】本発明に係る両側扉開閉機構の構成を示す分解部品の斜視説明図である。
【図２】両側扉開閉機構の回動片に設けた傾斜片部分の断面説明図である。
【図３】両側扉開閉機構における本体片とスライド片との位置関係（スライド可能な状態）を示すもので、（ａ）は平面説明図、（ｂ）は断面説明図である。
【図４】両側扉開閉機構における本体片とスライド片との位置関係（埋没嵌合状態）を示すもので、（ａ）は平面説明図、（ｂ）は断面説明図である。
【図５】（ａ）（ｂ）（ｃ）は、扉体の開閉動作を行う場合に、本体片に対するスライド片及び回動片の位置関係を示す平面説明図である。側面説明図、（ｄ）はクロスボルト固定金具の平面説明図である。
【図６】連結手段部分の拡大平面説明図である。
【図７】ユニット状の洗面台の外観を示す斜視説明図である。
【符号の説明】
【００４４】
１０  本体片
１２  穴部
１３  棒状体
１５  ピン
２０  スライド片
２１  係止部
２２  長穴
２４  ピン
２８  係止ピン
２８ａ  大径部
２８ｂ  下端部
３０  回動片
３１  軸
３６  傾斜片
４０  スライド付勢手段
４１  動作片
４３  折曲片
４４  ピン
５１  線状バネ
５２  巻回部
６０  板バネ（付勢手段）
１０１  正面鏡
１０２  側鏡
１０３  扉体
１１０  収納部
【図１】
0003726105.tif 000002
【図２】
0003726105.tif 000003
【図３】
0003726105.tif 000004
【図４】
0003726105.tif 000005
【図５】
0003726105.tif 000006
【図６】
0003726105.tif 000007
【図７】
0003726105.tif 000008